(57)【要約】【課題】可動羽根をスムーズに動作させつつ、可動羽根の反り上がりを抑制することが可能な遮光ユニットおよびこれを備えたレンズ鏡筒を提供する。【解決手段】絞りユニット２０は、地板２１、カバー２５、複数の絞り羽根２３、駆動リング２２、突出部２２ｃ，２５ｅを備えている。複数の絞り羽根２３は、地板２１とカバー２５との間に配置されており、開口２３ｅの大きさを変化させて光の通過量を調整する。駆動リング２２は、地板２１とカバー２５との間に配置されており、複数の絞り羽根２３を開閉する際に回転駆動される。突出部２２ｃ，２５ｅは、駆動リング２２およびカバー２５にそれぞれ設けられており、複数の絞り羽根２３が開口２３ｅの大きさを小さくする方向に可動した状態において複数の絞り羽根２３の反り上がりを抑制する方向に、複数の絞り羽根２３を支持する。【選択図】図１６Ｂ
2020140059.tif 000002
【特許請求の範囲】
【請求項１】
光を通過させる第１開口を有する第１枠体と、
前記光を通過させる第２開口を有する第２枠体と、
前記第１枠体と前記第２枠体との間に配置されており、前記第１開口を通過した前記光が通過する第３開口を形成し、前記第３開口の大きさを変化させて前記光の通過量を調整する複数の可動羽根と、
前記第１枠体と前記第２枠体との間に配置されており、前記複数の可動羽根を開閉する際に回転駆動される駆動リングと、
前記駆動リング、前記第１枠体および前記第２枠体の少なくとも１つに設けられており、複数の前記可動羽根が前記第３開口の大きさを小さくする方向に可動した状態において前記可動羽根の反り上がりを抑制する方向に、前記可動羽根を支持する支持部と、
を備えている遮光ユニット。
【請求項２】
前記支持部は、前記可動羽根の前記反り上がりの方向とは反対側の面に接する前記第１枠体または前記第２枠体または前記駆動リングに設けられた第１支持部を含む、
請求項１に記載の遮光ユニット。
【請求項３】
前記第１支持部は、円周方向に沿って複数設けられている、
請求項２に記載の遮光ユニット。
【請求項４】
前記支持部は、前記第１支持部よりも、前記第１開口または前記第２開口または前記第３開口の中心軸側に位置し、前記可動羽根の前記反り上がりの方向と同じ側の面に接するように設けられた第２支持部を含む、
請求項２または３のいずれか１項に記載の遮光ユニット。
【請求項５】
前記第２支持部は、前記第１開口または前記第２開口または前記第３開口の中心軸に対して円環状に設けられ、前記可動羽根の前記反り上がり方向とは反対側に突出する突出部である、
請求項４に記載の遮光ユニット。
【請求項６】
前記第２支持部は、前記第１開口または前記第２開口または前記第３開口の中心軸を含む断面視において、曲線状である、
請求項４または５に記載の遮光ユニット。
【請求項７】
前記第２支持部は、前記第１開口または前記第２開口または前記第３開口の近傍に配置されている、
請求項４から６のいずれか１項に記載の遮光ユニット。
【請求項８】
複数の前記可動羽根は、第１端側に設けられた第１主軸または第１主穴と、前記第１主軸または前記第１主穴とは反対側の第２端側に設けられた自由端とを有する第１羽根を含み、前記第３開口の大きさを小さくする方向に可動する際には、前記第１主軸または前記第１主穴を中心にして前記自由端側が前記第３開口の中心軸に向かって回動する、
請求項１から７のいずれか１項に記載の遮光ユニット。
【請求項９】
前記第１支持部は、前記第１枠体または前記第２枠体または前記駆動リングに構成され、前記第１主軸または前記第１主穴近傍を支持する、
請求項８に記載の遮光ユニット。
【請求項１０】
前記第１支持部は、前記第１枠体または前記第２枠体または前記駆動リングの表面から凸形状に構成される、
請求項２から９に記載の遮光ユニット。
【請求項１１】
前記第１支持部は、前記第１枠体または前記第２枠体または前記駆動リングに構成され、前記第１主軸の先端を支持する、
請求項８に記載の遮光ユニット。
【請求項１２】
前記第１支持部は、前記第１枠体または前記第２枠体または前記駆動リングの表面から凹形状に構成される、
請求項８から１１のいずれか１項に記載の遮光ユニット。
【請求項１３】
前記第１羽根は、第１副軸または第１副穴をさらに有し、
前記第１主軸または前記第１主穴と前記第１副軸または前記第１副穴の相対位置を変化させることで、前記第３開口の大きさを変化させる、
請求項８から１２のいずれか１項に記載の遮光ユニット。
【請求項１４】
前記第１主軸または前記第１主穴は、前記第１枠体に係合され、
前記第１副軸または前記第１副穴は、前記駆動リングに係合される、
請求項１３に記載の遮光ユニット。
【請求項１５】
前記第１主軸または前記第１主穴は、前記第２枠体に係合され、
前記第１副軸または前記第１副穴は、前記駆動リングに係合される、
請求項１３に記載の遮光ユニット。
【請求項１６】
前記第１主軸または前記第１主穴は、前記駆動リングに係合され、
前記第１副軸または前記第１副穴は、前記第１枠体に係合される、
請求項１３に記載の遮光ユニット。
【請求項１７】
前記第１主軸または前記第１主穴は、前記駆動リングに係合され、
前記第１副軸または前記第１副穴は、前記第２枠体に係合される、
請求項１３に記載の遮光ユニット。
【請求項１８】
少なくとも前記第３開口の大きさを小さくする方向に可動する際には、
前記第１副軸または前記第１副穴は、前記第１主軸または前記第１主穴に対して、前記第１開口または前記第２開口または第３開口の中心軸側に可動する、
請求項１３から１７のいずれか１項に記載の遮光ユニット。
【請求項１９】
複数の前記可動羽根は、前記第３開口の大きさを小さくする方向に可動されると、互いに隣接する前記可動羽根の前記自由端側が互いに編み込まれる、
請求項８から１８のいずれか１項に記載の遮光ユニット。
【請求項２０】
前記可動羽根を可動する駆動力を付与する駆動モータを、さらに備えている、
請求項１から１９のいずれか１項に記載の遮光ユニット。
【請求項２１】
前記駆動リングは、前記駆動モータによって前記第１開口、前記第２開口、および前記第３開口のいずれか１つの中心軸を中心に回転駆動される、
請求項２０に記載の遮光ユニット。
【請求項２２】
複数の前記可動羽根は、前記反り上がり方向とは反対側に反った形状を有している、
請求項１から２１のいずれか１項に記載の遮光ユニット。
【請求項２３】
複数の前記可動羽根は、第２主軸または第２主穴と、前記第２副軸または第２副穴とを有し、
前記第２主軸または前記第２主穴とは反対側の第２端側に設けられ前記第１枠体と前記第２枠体との間の隙間に沿って回動する回動部と、を有する第２羽根を含む、
請求項１から２２のいずれか１項に記載の遮光ユニット。
【請求項２４】
前記駆動リングが回転駆動されると、前記第２主軸または前記第２主穴と、前記第２副軸または前記第２副穴の相対位置が変化し、
前記第２羽根が前記第２主軸または前記第２主穴を中心に回動し、前記第３開口の大きさが変化する、
請求項２３に記載の遮光ユニット。
【請求項２５】
前記第１羽根と前記第２羽根とは、周方向において交互に配置される、
請求項８を引用する請求項２３または２４に記載の遮光ユニット。
【請求項２６】
前記第２枠体は、複数の前記可動羽根が全開状態における前記第３開口の大きさと略同じ、あるいは小さい前記第２開口を構成する固定開口部材を、さらに有しており、
複数の前記可動羽根が前記第３開口の大きさを小さくする方向へ可動すると、複数の前記可動羽根は、前記反り上がりの方向と同じ方向において、前記反り上がりの量が増加するにつれて、前記固定開口部材によって形成される前記第３開口を構成する平面を越えるように可動される、
請求項１から２５のいずれか１項に記載の遮光ユニット。
【請求項２７】
前記固定開口部材と複数の前記可動羽根との間には、前記第２枠体の本体の一部が配置され、
複数の前記可動羽根が前記第３開口の全開状態において、前記固定開口部材と複数の前記可動羽根とは互いに非接触であって、複数の前記可動羽根が前記第３開口の大きさを小さくする方向へ可動すると、前記反り上がり量が増加するに伴って複数の前記可動羽根は前記固定開口部材に接近していく、
請求項２６に記載の遮光ユニット。
【請求項２８】
前記第１枠体は、前記第１枠体と前記第２枠体との間に形成される隙間を径方向外側から覆う第１壁部を有し、
前記第２枠体は、前記第１枠体と前記第２枠体との間に形成される隙間を径方向外側から覆う第２壁部を有し、
前記第１壁部と前記第２壁部とは、互い違いの方向から前記隙間を覆うように配置されている、
請求項１から２７のいずれか１項に記載の遮光ユニット。
【請求項２９】
光を通過させる第１開口を有する第１枠体と、
前記光を通過させる第２開口を有する第２枠体と、
前記第１枠体と前記第２枠体との間に配置されており、前記第１開口を通過した前記光が通過する第３開口を形成し、前記第３開口の大きさを変化させて前記光の通過量を調整する複数の可動羽根と、
を備え、
複数の前記可動羽根は、複数の前記可動羽根が前記第３開口の大きさを小さくする方向に可動した状態において複数の前記可動羽根の反り上がり方向とは反対側に反った形状を有している、
遮光ユニット。
【請求項３０】
光を通過させる第１開口を有する第１枠体と、
前記光を通過させる第２開口を有する第２枠体と、
前記第１枠体と前記第２枠体との間に配置されており、前記第１開口を通過した前記光が通過する第３開口を形成し、前記第３開口の大きさを変化させて前記光の通過量を調整する複数の可動羽根と、
を備え、
複数の前記可動羽根は、第１端側に設けられた第１軸または第１穴と前記第１軸または前記第１穴とは反対側の第２端側に設けられた自由端とを有する第１羽根と、前記第１端側に設けられた第２軸または第２穴と前記第２軸または第２穴とは反対側の第２端側に設けられ前記第１枠体と前記第２枠体との間の隙間に沿って回動する回動部とを有する第２羽根と、を含み、
前記第１羽根と前記第２羽根とは、周方向において交互に配置される、
遮光ユニット。
【請求項３１】
光を通過させる第１開口を有する第１枠体と、
前記光を通過させる第２開口を有する第２枠体と、
前記第１枠体と前記第２枠体との間に配置されており、前記第１開口を通過した前記光が通過する第３開口を形成し、前記第３開口の大きさを変化させて前記光の通過量を調整する複数の可動羽根と、
前記第２枠体に設けられており、複数の前記可動羽根が全開状態において前記第３開口の大きさと略同じ、あるいは小さい前記第２開口を構成する固定開口部材と、
備え、
複数の前記可動羽根が前記第３開口の大きさを小さくする方向へ可動すると、複数の前記可動羽根は、前記反り上がりの方向と同じ方向において、前記固定開口部材によって形成される前記第３開口を構成する仮想的な平面を越えるように可動される、
遮光ユニット。
【請求項３２】
請求項１から３１のいずれか１項に記載の遮光ユニットと、
前記遮光ユニットに入射する前記光を所望の方向へ導く複数のレンズ群と、
を備えたレンズ鏡筒。
【請求項３３】
前記遮光ユニットは、複数の前記レンズ群を透過する前記光の量を調整する絞りユニットである、
請求項３２に記載のレンズ鏡筒。
【発明の詳細な説明】
【技術分野】
【０００１】
本開示は、遮光ユニットおよびこれを備えたレンズ鏡筒に関する。
【背景技術】
【０００２】
カメラ等の撮像装置には、複数のレンズ群、光が通過する開口の面積を調整する絞り、シャッターユニット等が設けられている。
例えば、特許文献１には、羽根群の反り上がりを低減するために、光通過経路の周囲に環状に配置された複数の羽根と、これら複数の羽根を回動させる駆動リングとを備え、複数の羽根のそれぞれは、駆動リングに設けられたカム溝に係合する係合部を有し、カム溝の少なくとも一部が、駆動リングの径方向外側に向かって傾斜するように設けられた羽根駆動装置が開示されている。
【先行技術文献】
【特許文献】
【０００３】
【特許文献１】特開２０１６−１０２８３０号公報
【特許文献２】特許第６０６８９０３号公報
【発明の概要】
【発明が解決しようとする課題】
【０００４】
本開示の課題は、可動羽根をスムーズに動作させつつ、可動羽根の反り上がりを抑制することが可能な遮光ユニットおよびこれを備えたレンズ鏡筒を提供することにある。
【課題を解決するための手段】
【０００５】
本開示に係る遮光ユニットは、第１枠体と、第２枠体と、複数の可動羽根と、駆動リングと、支持部と、を備えている。第１枠体は、光を通過させる第１開口を有する。第２枠体は、光を通過させる第２開口を有する。複数の可動羽根は、第１枠体と第２枠体との間に配置されており、第１開口を通過した光が通過する第３開口を形成し、第３開口の大きさを変化させて光の通過量を調整する。駆動リングは、第１枠体と第２枠体との間に配置されており、複数の可動羽根を開閉する際に回転駆動される。支持部は、駆動リング、第１枠体および第２枠体の少なくとも１つに設けられており、複数の可動羽根が第３開口の大きさを小さくする方向に可動した状態において可動羽根の反り上がりを抑制する方向に、可動羽根を支持する。
【発明の効果】
【０００６】
本開示に係る遮光ユニットによれば、可動羽根をスムーズに動作させつつ、可動羽根の反り上がりを抑制することができる。
【図面の簡単な説明】
【０００７】
【図１】本開示の一実施形態に係る絞りユニットを含むレンズ鏡筒の構成を示す断面図。
【図２】図１のレンズ鏡筒に含まれる絞りユニットを構成する各部品を示す分解斜視図。
【図３】図２の絞りユニットの斜視図。
【図４Ａ】図３の絞りユニットの絞り羽根を絞った状態（開口径を小さくした状態）を被写体側とは反対側（カバー側）から見た図。
【図４Ｂ】図３の絞りユニットの絞り羽根を絞った状態（開口径を小さくした状態）を被写体側（地板側）から見た図。
【図５Ａ】図４Ａの絞りユニットの絞り羽根を全開状態へ移行させる途中の状態を被写体側とは反対側（カバー側）から見た図。
【図５Ｂ】図４Ｂの絞りユニットの絞り羽根を全開状態へ移行させる途中の状態を被写体側（地板側）から見た図。
【図６Ａ】図４Ａの絞りユニットの絞り羽根を全開状態へ移行させた状態を被写体側とは反対側（カバー側）から見た図。
【図６Ｂ】図４Ｂの絞りユニットの絞り羽根を全開状態へ移行させた状態を被写体側（地板側）から見た図。
【図７】図３の絞りユニットの絞り羽根を全開状態へ移行させた状態を示す分解斜視図。
【図８】図３の絞りユニットを構成する駆動リングの構成を示す斜視図。
【図９】図３の絞りユニットを構成する絞り羽根の構成を示す斜視図。
【図１０】図３の絞りユニットを構成するカバーの構成を示す斜視図。
【図１１】図１０のカバー上に１枚の絞り羽根を配置した状態を示す斜視図。
【図１２】図１１のＡＡ方向から見た斜視図。
【図１３】図１２のＢ部分の拡大図。
【図１４】図９のカバー上に１枚の絞り羽根、駆動リング、フォトインタラプタ、ギア、モータを組み込んだ状態を示す斜視図。
【図１５Ａ】図３の絞りユニットの絞り羽根を絞った状態（開口径を小さくした状態）を示す図。
【図１５Ｂ】図１５Ａの絞りユニットの断面図。
【図１６Ａ】図１５Ｂの上半分を拡大した断面図。
【図１６Ｂ】本実施形態の絞りユニットの絞り羽根の反り上がり（実線）と従来の絞りユニットの絞り羽根の反り上がり（破線）とを比較する断面図。
【図１７Ａ】図３の絞りユニットの絞り羽根を絞った状態（開口径を小さくした状態）で光軸方向における絞り羽根と固定開口シートとの位置関係を示す断面図。
【図１７Ｂ】図１７Ａの絞りユニットの絞り羽根を開状態へ移行させた状態を示す断面図。
【図１８】図３の絞りユニットにおいてオイルの浸入を防止するためにカバーに設けられた壁部側の構成を示す斜視図。
【図１９】図３の絞りユニットを構成する地板に設けられた壁部の構成を示す斜視図。
【図２０】図３の絞りユニットにおけるオイルの浸入を防止する壁部の互い違い構造および固定開口シートと絞り羽根とカバーの構成を模式的に示す断面図。
【図２１Ａ】本開示の他の実施形態に係る絞りユニットを構成する絞り羽根（第１羽根）の構成を示す図。
【図２１Ｂ】本開示の他の実施形態に係る絞りユニットを構成する絞り羽根（第２羽根）の構成を示す図。
【図２２Ａ】図２１Ａに示す１枚の絞り羽根（第１羽根）を配置した絞りユニットの構成を被写体側から見た図。
【図２２Ｂ】図２１Ａに示す１枚の絞り羽根（第１羽根）を配置した絞りユニットの構成を被写体側とは反対側から見た図。
【図２３Ａ】図２１Ｂに示す１枚の絞り羽根（第２羽根）を配置した絞りユニットの構成を被写体側から見た図。
【図２３Ｂ】図２１Ｂに示す１枚の絞り羽根（第２羽根）を配置した絞りユニットの構成を被写体側とは反対側から見た図。
【図２４Ａ】図２１Ａに示す１枚の絞り羽根（第１羽根）を配置した絞りユニットの構成を被写体側とは反対側から見た透視図。
【図２４Ｂ】図２１Ｂに示す１枚の絞り羽根（第２羽根）を配置した絞りユニットの構成を被写体側とは反対側から見た透視図。
【図２５】図２１Ａに示す絞り羽根（第１羽根）と図２１Ｂに示す絞り羽根（第２羽根）とを周方向に交互に配置して絞った状態（開口径を小さくした状態）を被写体側とは反対側から見た図。
【図２６】本開示のさらに他の実施形態に係る絞りユニットに含まれる絞り羽根の構成を示す斜視図。
【図２７】図２６の絞り羽根を絞った状態（開口径を小さくした状態）にした構成と実施形態１の構成とで絞り羽根の反り上がりの抑制効果を比較した断面図。
【発明を実施するための形態】
【０００８】
（本開示の基礎となった知見等）
上記従来の羽根駆動装置では、以下に示すような問題点を有している。
すなわち、上記公報に開示された装置では、一部のカム溝が駆動リングの径方向外側に向かって傾斜して設けられている。このため、羽根が駆動される際に、カム溝内を走行するボスが引っ掛かりやすくなり、羽根の動作不良が発生するおそれがある。
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、出願人は、当業者が本開示を十分に理解するために添付図面および以下の説明を提供するのであって、これらによって特許請求の範囲に記載の主題を限定することを意図するものではない。
本文中において記載の「被写体側」、「像面側」、「光の入射方向」を、図１および図２に示している。「像面側」と「被写体側とは反対側」とは、同じ側である。
【００１１】
（実施形態１）
本開示の一実施形態に係る絞りユニット（遮光ユニット）２０を含むレンズ鏡筒１０について、図１〜図２０を用いて説明すれば以下の通りである。
ここで、本実施形態のレンズ鏡筒１０は、絞りユニット（遮光ユニット）２０を構成する絞り羽根（可動羽根）２３を絞った状態（開口径を小さくした状態）において生じる絞り羽根２３の反り上がりを抑制するための構成を備えている。以下で、これらの具体的な構成について説明する。
【００１２】
なお、絞り羽根２３の反り上がりの方向とは、開口径を絞る方向へ絞り羽根２３を回動させた際に、複数の絞り羽根２３の先端側が互いに重なり合って（編み上げられて）膨らむ方向、本実施形態では、図１７（ａ）等に示すように、像面側の方向を意味している。
【００１３】
（１）レンズ鏡筒１０の構成
本実施形態に係るレンズ鏡筒１０は、カメラ本体（図示せず）に装着される交換可能なレンズ鏡筒であって、図１に示すように、外枠１１、内枠１２、アクチュエータ１３、ガイドポール１４、第４レンズ枠１５、マウント１６、第１レンズＬ１〜第５レンズＬ５、および絞りユニット２０を備えている。Ｘは、第１レンズＬ１〜第５レンズＬ５で規定される光軸である。
【００１４】
外枠１１は、略円筒状の部材であって、レンズ鏡筒１０の外郭を構成するとともに、第１レンズＬ１〜第５レンズＬ５等の各構成を内包する。
内枠１２は、外枠１１の内周面側に配置されており、光の入射方向における最上流側において第１レンズＬ１を、その下流側において第２レンズＬ２を、その下流側において第３レンズＬ３を、それぞれ保持している。さらに、内枠１２は、第３レンズＬ３の略側方にアクチュエータ１３とガイドポール１４を、第３レンズＬ３の下流側においてガイドポール１４に光軸Ｘ方向に可動できるよう保持される第４レンズ枠１５を、その下流側において絞りユニット２０を、その下流側において第５レンズＬ５を、それぞれ保持している。
【００１５】
アクチュエータ１３は、フォーカスのために駆動されるフォーカスモータであって、内枠１２に保持されている。そして、アクチュエータ１３は、図示しない電気回路から給電されると、ガイドポール１４に沿って、第４レンズ（フォーカスレンズ）Ｌ４を保持する第４レンズ枠１５を、光軸Ｘ方向において前後に移動させる。
【００１６】
ガイドポール１４は、アクチュエータ１３によって駆動される第４レンズ枠１５を光軸Ｘ方向において前後に誘導する棒状の部材である。そして、ガイドポール１４は、内枠１２に保持され、光軸Ｘ方向に平行に配置されている。
【００１７】
第４レンズ枠１５は、レンズ鏡筒１０の光学系を構成するレンズ群に含まれ、レンズに入射する光束のピントを調整するため、すなわちフォーカスのために、光軸Ｘ方向に移動する、第４レンズＬ４を保持しており、アクチュエータ１３によって駆動される。
【００１８】
あるいは、第４レンズ枠１５は、レンズに入射する光束の焦点距離を調整するため、すなわちズームのために、光軸Ｘ方向に移動する、第４レンズＬ４を保持しており、ズーム動作に連動して駆動される。すなわち、第４レンズ枠１５は、フォーカスやズームのために、光軸方向に移動可能となっている。
【００１９】
マウント１６は、図示しないカメラ本体に対して装着される部分であって、外枠１１に保持され、レンズ鏡筒１０内の光の入射方向における最下流側に配置されている。
第１レンズＬ１〜第５レンズＬ５は、図１に示すように、光軸Ｘ方向に光を導く光学系であって、光の入射方向において被写体側から像面側へと順に配置されている。
【００２０】
第１レンズＬ１は、レンズ鏡筒１０に含まれるレンズ群の中で最も被写体側に配置されている。
第２レンズＬ２は、内枠１２の内側における第１レンズＬ１の像面側（被写体側とは反対側）の面に近接する位置に配置されている。
【００２１】
第３レンズＬ３は、内枠１２の内側において第２レンズＬ２から像面側に所定の距離だけ離間した位置に配置されている。
第４レンズＬ４は、内枠１２の内側に設けられたフォーカスレンズであって、アクチュエータ１３によって光軸Ｘ方向において前後に移動可能であって、第４レンズ枠１５によって保持されている。
【００２２】
第５レンズＬ５は、光軸Ｘ方向における絞りユニット２０の下流側であって、レンズ鏡筒１０に含まれるレンズ群の中で最も像面側に配置されている。
絞りユニット２０は、内枠１２の内側における第４レンズＬ４と第５レンズＬ５との間に配置されており、第１レンズＬ１から第４レンズＬ４を透過した光が通過する面積または開口径および径を調整してカメラ本体側に設けられた撮像素子へ入射する光の量を調整する。なお、絞りユニット２０の詳細な構成については、後段にて詳述する。
【００２３】
（２）絞りユニット２０の構成
本実施形態のレンズ鏡筒１０では、図１に示すように、第１レンズＬ１〜第４レンズが光軸Ｘ方向において絞りユニット２０よりも被写体側に配置されている。
絞りユニット２０は、図１に示すように、フォーカスレンズとして機能する第４レンズＬ４の下流側に配置されている。そして、絞りユニット２０は、図２に示すように、地板（第１枠体）２１、駆動リング２２、複数の絞り羽根（可動羽根）２３、シート部材２４、カバー（第２枠体）２５、取付ネジ２６、固定開口シート（固定開口部材）２７、駆動モータ２８、フォトインタラプタ２９ａ、ＦＰＣ２９ｂを有している。さらに、絞りユニット２０は、図３に示すように、略円環状の各部材の中心に形成された開口２１ｂ，２２ｂ，２３ｅ，２４ｂ，２５ｂ，２７ｂを通過する光の量を、駆動モータ２８によって駆動される複数の絞り羽根２３を開閉することで調整する。なお、各開口２１ｂ，２２ｂ，２３ｅ，２４ｂ，２５ｂ，２７ｂおよび絞りユニット２０の開口の各中心は、光軸Ｘを略通過するよう構成される。
【００２４】
絞りユニット２０は、複数の絞り羽根２３を最も絞った状態では、図４Ａおよび図４Ｂに示すように、複数の絞り羽根２３によって形成される開口２３ｅの開口径（面積）が最小になった状態となる。
【００２５】
このとき、複数の絞り羽根２３は、図４Ａに示すように、被写体側とは反対側、すなわち像面側から見て、その先端側の一部が、光軸Ｘを中心とする周方向において互いに重なり合って編み込まれた状態、すなわち、反り上がった状態で配置される。
【００２６】
また、図４Ａおよび図４Ｂに示す状態から、複数の絞り羽根２３を回動させると、図５Ａおよび図５Ｂに示すように、複数の絞り羽根２３によって形成される開口２３ｅの開口径（面積）が徐々に大きくなっていく。
【００２７】
さらに、図５Ａおよび図５Ｂに示す状態からさらに複数の絞り羽根２３を回動させると、図６Ａおよび図６Ｂに示すように、複数の絞り羽根２３は、その全体が地板２１、カバー２５等の間の隙間に入り込んで、複数の絞り羽根２３によって形成される開口２３ｅの開口径（面積）が最大となる。
【００２８】
なお、図６Ａおよび図６Ｂに示す開口２３ｅの開口径または開口面積が最大になった状態では、絞りユニット２０の開口部分の大きさは、後述する固定開口シート２７によって規定される。つまり、固定開口シート２７の開口２７ｂは、開口径または開口面積が最大になった絞り羽根２３の開口２３ｅよりも小さく、一定である。
【００２９】
本実施形態の絞りユニット２０は、以上のように、図４Ａおよび図４Ｂに示す閉状態と、図６Ａおよび図６Ｂに示す開状態との間において、複数の絞り羽根２３を回動させることで、開口部分を通過する光の量を調整することができる。
【００３０】
地板（第１枠体）２１は、図２に示すように、光の入射方向において最も被写体側に配置された略円環状の部材であって、略円環状の本体部２１ａと、被写体側から入射してきた光を通過させるために本体部２１ａの中央部分に形成された開口（第１開口）２１ｂと、壁部（第１壁部）２１ｃ（図１９参照）と、径方向規制部２１ｄ（図１６Ａ、図１７Ａ、図１９参照）と、第１光軸方向規制部２１ｅ（図１９参照）と、第２光軸方向規制部２１ｆ（図１６Ａ、図１７Ａ、図１９参照）とを有している。そして、図２に示すように、地板２１と、光の入射方向における最も下流側に配置された固定開口シート２７との間には、被写体側から、駆動リング２２、複数の絞り羽根２３、シート部材２４、カバー２５が順に配置されている。
【００３１】
また、地板２１の被写体側の面には、図３および図７に示すように、複数の絞り羽根２３を開閉駆動するための駆動力を付与するために、地板２１に固定された後述する駆動モータ２８等が配置される。
駆動リング２２は、図２および図７に示すように、光の入射方向において、地板２１と絞り羽根２３との間に配置された略円環状の部材である。
【００３２】
より詳細には、駆動リング２２は、図８に示すように、略円環状の本体部２２ａと、その中心に形成された開口２２ｂと、複数の突出部（支持部、第１支持部）２２ｃと、ギア部２２ｄと、遮光部２２ｅと、径方向規制部２２ｆ（図８、図１６Ａ、図１７Ａ参照）と、第１光軸方向規制部２２ｇ（図８参照）と、第２光軸方向規制部２２ｈ（図１４、図１６Ａ、図１７Ａ参照）とを有している。そして、駆動リング２２は、後述する駆動モータ２８によって回転駆動されることで、複数の絞り羽根２３を回動させる。より具体的には、駆動リング２２は、後述する駆動モータ２８からの駆動力がギア２８ａを介して伝達されると、駆動リング２２の径方向規制部２２ｆが、地板２１の径方向規制部２１ｄによって径方向位置を規制される。さらに、駆動リング２２の第１光軸方向規制部２２ｇが、地板２１の第１光軸方向規制部２１ｅと当接し、駆動リング２２の第２光軸方向規制部２２ｈが地板２１の第２光軸方向規制部２１ｆと当接する。
【００３３】
これにより、駆動リング２２は、地板２１の２つの光軸方向規制部２１ｅ，２１ｆに挟まれることになるため、光軸方向における位置を規制されながら、略光軸Ｘを中心にして回転する。この結果、駆動リング２２は、複数の絞り羽根２３を回動させて、絞り羽根２３を絞った状態と開状態、すなわち最小径と最大径との間において、開口部分を通過する光の量を調整する。
【００３４】
本体部２２ａは、図８に示すように、略円環状の板状部材であって、その中心に開口２２ｂが形成されている。
開口２２ｂは、絞りユニット２０の光が通過する開口部分であって、複数の絞り羽根２３が全開状態になった際に形成される開口２３ｅと略同等、あるいはやや大きい径または面積を有している。開口２２ｂは、後述する固定開口シート２７の開口２７ｂと略同等、あるいは大きい径または面積を有している。
【００３５】
突出部２２ｃは、図８、図１６ａ、図１６ｂ、図１７ａ、図１７ｂに示すように、絞り羽根の反り上がりの方向とは反対側の面に接する本体部２２ａの面、本実施形態では被写体側とは反対側（カバー２５側）、すなわち像面側の面から円環状に突出するように、周方向において略等角度間隔で１１個配置されている。そして、突出部２２ｃは、円環状の部分において、絞り羽根２３の一部に当接し、絞り羽根２３を被写体側から支持する。また、突出部２２ｃの円環状に突出した部分の略中心には、貫通穴が形成されており、後述する絞り羽根２３のボス２３ｂ（第１主軸）が挿入される。
【００３６】
突出部２２ｃ（第１支持部）は、駆動リング２２の表面から絞り羽根２３の反り上がりの方向へ突出する凸形状を有し、絞り羽根２３のボス２３ｂ（第１主軸）近傍を支持する。
【００３７】
突出部２２ｃは、貫通穴、またはボス２３ｃ（第１主軸）、の中心軸を含む断面視において略円弧、または略楕円、または略放物線、または略多次曲線、またはなだらかな曲線形状を有していることが好ましい。
【００３８】
これらの構成により、絞り羽根２３は、摩耗したり引っ掛かったりすることで駆動負荷が増大すること無くスムーズに可動しやすくなり、同時に絞り羽根の編み込みによる反り上がりを効率的に抑制することができる。
【００３９】
ギア部２２ｄは、駆動モータ２８の回転軸に取り付けられたギア２８ａ（図２および図１４参照）と噛み合うように、本体部２２ａの外周面の一部に形成されている。そして、ギア部２２ｄは、駆動モータ２８の回転駆動力がギア２８ａを介して伝達されると、駆動リング２２を、光軸Ｘを中心にして回転駆動させる。
【００４０】
遮光部２２ｅは、本体部２２ａの外周面の一部から、径方向外側に向かって突出するように形成されている。そして、遮光部２２ｅは、後述する絞り羽根２３の開閉動作時において、駆動リング２２が所定の位置まで回転駆動されると、フォトインタラプタ２９ａの発光部と受光部との間に挿入されて、発光部から受光部に向かって照射された光を遮断する（図１４参照）。これにより、フォトインタラプタ２９ａによって、駆動リング２２の回転位置の情報が検出される。
【００４１】
複数の絞り羽根（可動羽根）２３は、図２に示すように、光の入射方向において、駆動リング２２の下流側に配置されている。そして、複数の絞り羽根２３は、駆動リング２２とシート部材２４との間において、ボス２３ｂ（第１主軸）（図１０参照）を中心にして回動することで、開口２３ｅ（図４Ａ等参照）の大きさ（面積）を変化させて、絞りユニット２０の開口部分を通過する光の量を調整する。
【００４２】
より詳細には、絞り羽根２３は、図９に示すように、本体部２３ａと、ボス２３ｂ（第１主軸）と、ボス２３ｃ（第１副軸）と、先端部（自由端）２３ｄとを有している。
本体部２３ａは、図９に示すように、羽根状に形成された板状部材であって、例えば、ＬＣＰ（Liquid Crystal Polymer）、ＰＰＳ（ポリフェニレンサルファイド）、ＰＡ（ポリアミド）等の高剛性樹脂によって成形されている。
【００４３】
これにより、絞り羽根２３が、比較的剛性の高い材料を用いて成形されているため、後述する反り上がり量を抑制することができる。
ボス２３ｂ（第１主軸）は、複数の絞り羽根２３が回動する際の回動軸として、本体部２３ａの一端（第１端部）側の上面（駆動リング２２と対向する面）から突出するように設けられている。そして、ボス２３ｂ（第１主軸）は、上述した駆動リング２２の突出部２２ｃの中心部分に形成された貫通穴に挿入されている。このため、ボス２３ｂ（第１主軸）は、後述する絞り羽根２３の開閉動作において、駆動リング２２が回転駆動されると、それに伴って周方向において移動する。
【００４４】
ボス２３ｃ（第１副軸）は、本体部２３ａにおけるボス２３ｂ（第１主軸）とは反対側の面（カバー２５と対向する面）から突出するように設けられている。そして、ボス２３ｃ（第１副軸）は、後述するカバー２５に形成されたカム溝２５ｃ（図１０参照）内に挿入されている。このため、ボス２３ｃ（第１副軸）は、後述する絞り羽根２３の開閉動作において、駆動リング２２が回転駆動されて絞り羽根２３が周方向において移動すると、それに伴って、カム溝２５ｃに案内されながら移動する。これにより、駆動リング２２の回転量に応じて絞り羽根２３の回動量を変化させることで、複数の絞り羽根２３によって形成される開口２３ｅの面積を変化させて、絞りユニット２０の開口部分を通過する光の量を調整することができる。駆動リング２２が回転駆動されると、ボス２３ｂ（第１主軸）とボス２３ｃ（第１副軸）の地板２１またはカバー２５に対する相対位置が変化し、絞り羽根２３がボス２３ｂ（第１主軸）を中心に回動し、絞りユニット２０の開口の大きさが変化する。
【００４５】
先端部２３ｄは、本体部２３ａにおける他端（第２端）側に設けられた自由端であって、絞り羽根２３がボス２３ｂ（第１主軸）を中心にして回動することで、絞りユニット２０の開口部分を覆うように開口部分へ進出したり、開口部分から退避したりする。
【００４６】
なお、複数の絞り羽根２３の構成およびこれらを回動させる開閉機構については、後段にて詳述する。また、本実施形態では、絞り羽根２３が、例えば、１１枚設けられている。
【００４７】
シート部材２４は、図２に示すように、光の入射方向において、複数の絞り羽根２３の下流側に配置された略円環状の部材であって、略円環状の本体部２４ａと、その中心部分に形成された開口２４ｂとを有している。そして、シート部材２４は、光の入射方向における下流側に配置されたカバー２５に形成されたカム溝２５ｃ（図１０参照）に重なる部分に、同じ形状の貫通溝２４ｃを有している。
【００４８】
カバー（第２枠体）２５は、図２に示すように、光の入射方向において、シート部材２４の下流側に配置された略円環状の部材であって、図１０に示すように、略円環状の本体部２５ａと、開口２５ｂと、カム溝２５ｃと、壁部（第２壁部）２５ｄと、突出部（支持部、第２支持部）２５ｅとを有している。
【００４９】
本体部２５ａは、図１０に示すように、略円環状の板状部材であって、その中心に開口２５ｂが形成されている。
開口２５ｂは、絞りユニット２０の光が通過する開口部分であって、複数の絞り羽根２３が全開状態になった際に形成される開口２３ｅと同等、あるいはやや大きい面積を有している。
【００５０】
カム溝２５ｃは、本体部２５ａに形成された案内溝であって、上述した絞り羽根２３のボス２３ｃ（第１副軸）が挿入される。このため、カム溝２５ｃは、絞り羽根２３と同じ数（本実施形態では１１個）だけ形成されている。そして、駆動リング２２が回転駆動されて絞り羽根２３が周方向へ移動すると、ボス２３ｃ（第１副軸）がカム溝２５ｃに沿って移動することで、複数の絞り羽根２３がそれぞれ回動される。
【００５１】
図１１は、カム溝２５ｃ内にボス２３ｃ（第１副軸）が挿入された状態で絞り羽根２３を１枚だけ配置した状態を、図１２は、図１１を図中のＡＡ方向から見た状態をそれぞれ示している。なお、説明の便宜上、図１１では、シート部材２４の図示は省略されている。
【００５２】
この状態では、ボス２３ｃ（第１副軸）は、図１２のＢ部分を拡大した図１３に示すように、カム溝２５ｃに挿入されており、駆動リング２２の回転に伴って、カム溝２５ｃに沿って移動する。
【００５３】
壁部２５ｄは、本体部２５ａの外周部分の一部を覆うように配置された壁状の部材であって、後述するオイル浸入防止構造（図２０等参照）を構成する。
突出部２５ｅは、本体部２５ａの上面（絞り羽根２３およびシート部材２４に対向する面）における内周側の部分に配置された円環状の部分であって、本体部２５ａの上面から突出するように形成されている。また、円環状に形成された突出部２５ｅは、開口２５ｂとほぼ同心円状に配置されている。そして、突出部２５ｅは、絞り羽根２３の一部に当接し、絞り羽根２３を被写体側とは反対側から支持する。
【００５４】
より具体的には、突出部２５ｅは、図１１に示すように、カバー２５上に配置された絞り羽根２３の回動軸となるボス２３ｂ（第１主軸）寄りの位置に配置されている。そして、突出部２５ｅは、絞り羽根２３のボス２３ｂ（第１主軸）寄りの位置において、絞り羽根２３を支持する。
【００５５】
また、複数の絞り羽根２３が地板２１とカバー２５との間の隙間に収まっている開状態では、突出部２５ｅは、３枚の絞り羽根２３が重なった位置に配置される。
一方、駆動リング２２側の突出部２２ｃは、各絞り羽根２３の回動軸（ボス２３ｂ（第１主軸））付近に設けられているため、複数の絞り羽根２３の回動位置に関わらず、１枚の絞り羽根２３と重なる位置に配置される。
【００５６】
このため、突出部２５ｅは、３枚の絞り羽根２３が可動しやすいように、突出部２２ｃよりも突出高さが低く形成されている。
突出部２５ｅ（第２支持部）は、カバー（第２枠体）２５に形成され、絞りユニット２０の開口、またはカバー（第２枠体）２５の開口２５ｂ（第２開口）の近傍に位置する。さらに、突出部２５ｅ（第２支持部）は、絞り羽根２３の全開状態において絞りユニット２０の開口径または開口面積を決める固定開口シート２７の開口２７ｂよりも外側、すなわち、開口中心から離れる側に配置される。
【００５７】
さらに、突出部２５ｅ（第２支持部）は、駆動リング２２の突出部２２ｃ（第１支持部）よりも絞りユニット２０の開口、またはカバー（第２枠体）２５の開口２５ｂ（第２開口）の中心軸側に位置し、絞り羽根２３の反り上がりの方向と同じ側の面に接するように設けられる。
【００５８】
さらに、突出部２５ｅ（第２支持部）は、絞りユニット２０の開口、またはカバー（第２枠体）２５の開口２５ｂ（第２開口）の中心軸に対して円環状に設けられる。
さらに、突出部２５ｅ（第２支持部）は、絞りユニット２０の開口、またはカバー（第２枠体）２５の開口２５ｂ（第２開口）、の中心軸を含む断面視において、略円弧、または略楕円、または略放物線、または略多次曲線、またはなだらかな曲線形状を有していることが好ましい。
【００５９】
これらの構成により、絞り羽根２３は、摩耗したり引っ掛かったりすることで駆動負荷が増大すること無くスムーズに可動しやすくなり、同時に絞り羽根の編み込みによる反り上がりを効率的に抑制することができる。
【００６０】
取付ネジ２６は、図２に示すように、光の入射方向において、カバー２５の下流側からカバー２５を地板２１に対して固定するために、図４Ａ等に示すように、３つ設けられている。
【００６１】
固定開口シート（固定開口部材）２７は、図２に示すように、光の入射方向において、カバー２５の下流側、すなわち絞りユニット２０の最下流側に配置されている。そして、固定開口シート２７は、略円環状の本体部２７ａと、本体部２７ａの中心部分に形成された開口２７ｂとを有し、絞りユニット２０が全開状態における開口部分の径または面積を規定するために設けられている。また、固定開口シート２７は、カバー２５における被写体側とは反対側の面に対して固定されている。
【００６２】
駆動モータ２８は、複数の絞り羽根２３の開閉動作を実施する際に、複数の絞り羽根２３に対して駆動力を付与するために、取付ネジ２８ｂ（図２、図４Ａ等参照）によって地板２１に固定されている。駆動モータ２８は、後述するＦＰＣ２９ｂが電気的に接続されており、図示しない電気回路からの給電によって回転軸が回転する。
【００６３】
より具体的には、駆動モータ２８は、回転軸に圧入されたギア２８ａを回転させることで、ギア２８ａに噛み合うように配置されたギア部２２ｄを介して、駆動リング２２を光軸Ｘ周りに回転させる。
【００６４】
フォトインタラプタ２９ａは、発光部と受光部とを有し、駆動リング２２の回転位置を検出するために設けられている。そして、フォトインタラプタ２９ａは、図１４に示すように、カバー２５の上面（被写体側の面）に取り付けられている。
【００６５】
ＦＰＣ２９ｂは、フレキシブルプリント基板であって、図２および図３に示すように、フォトインタラプタ２９ａと駆動モータ２８とを電気的に接続し、コネクタを経由して図示しない電気回路に接続されている。そして、ＦＰＣ２９ｂは、図３および図４に示すように、地板２１の上面（被写体側の面）に取り付けられている。
【００６６】
＜絞り羽根２３の開閉機構＞
ここで、本実施形態の絞りユニット２０における１１枚の絞り羽根２３を開閉する機構について説明すれば以下の通りである。
【００６７】
すなわち、本実施形態の絞りユニット２０は、上述したように、１１枚の絞り羽根２３をそれぞれのボス２３ｂ（第１主軸）を中心にして回動させることで、１１枚の絞り羽根２３の中心部分に形成される開口２３ｅの面積を変化させる。
【００６８】
具体的には、１１枚のそれぞれの絞り羽根２３のボス２３ｂ（第１主軸）は、駆動リング２２に形成された突出部２２ｃの中心の貫通穴にそれぞれ挿入されている。一方、絞り羽根２３のボス２３ｃ（第１副軸）は、図１２および図１３に示すように、カバー２５に形成されたカム溝２５ｃにそれぞれ挿入されている。
【００６９】
ここで、ボス２３ｃ（第１副軸）が図１３に示す位置にあるとき、図６Ａおよび図６Ｂに示すように、絞り羽根２３は最も開口２３ｅが大きい開放状態にある。そして、ボス２３ｃ（第１副軸）が、図１３に示すカム溝２５ｃに沿って右方向へ移動するにつれて、絞り羽根２３の先端部２３ｄが径方向内側に向かって回動し、図５Ａおよび図５Ｂに示すように、開口２３ｅの面積または開口径が小さくなっていく。そして、ボス２３ｃ（第１副軸）がカム溝２５ｃの右端付近まで移動すると、図４Ａおよび図４Ｂに示すように、絞り羽根２３は最も開口２３ｅが小さい絞り状態（閉状態）に移行する。
【００７０】
また、駆動リング２２は、駆動モータ２８の回転駆動力が、ギア２８ａを介してギア部２２ｄに伝達されることで、光軸Ｘ周りで回転駆動される。駆動リング２２の回転位置情報は、駆動リング２２の外周部分に一体的に設けられた遮光部２２ｅが、フォトインタラプタ２９ａを通過することで検出される。これにより、絞り羽根２３の開口２３ｅの開口径または開口面積を調整することができる。
【００７１】
絞り羽根２３は、図１４に示すように、ボス２３ｃ（第１副軸）がカバー２５のカム溝２５ｃに、ボス２３ｂ（第１主軸）が駆動リング２２の貫通穴にそれぞれ挿入された状態で、駆動リング２２が駆動モータ２８によって回転駆動されることで、駆動リング２２とともに周方向に移動するとともに、ボス２３ｂ（第１主軸）を回動軸として、ボス２３ｃ（第１副軸）がカム溝２５ｃに沿って移動する動きに合わせて回動される。
これにより、複数の絞り羽根２３によって形成される開口２３ｅの面積または開口径を小さくする、あるいは大きくするように調整することができる。
【００７２】
＜絞り羽根２３の反り上がり抑制構造＞
本実施形態の絞りユニット２０は、図１５Ａに示すように複数の絞り羽根２３を閉じていった際に、それぞれの絞り羽根２３の先端部２３ｄが編み込まれた側に反り上がることを抑制するために、反り上がり抑制構造を備えている。この反り上がり抑制構造について、図１５Ａ〜図１６Ｂを用いて説明すれば以下の通りである。
【００７３】
すなわち、図１５Ａおよび図１５Ｂに示すように、複数の絞り羽根２３は、開口径を小さく絞るほど、絞り羽根２３の先端部２３ｄの編み込み部分が盛り上がるようにして、像面側に反り上がりが発生する。
【００７４】
このとき、絞り羽根２３が、このような反り上がった状態になると、例えば、対向配置されたレンズＬ５等と接触して、レンズＬ５等に接触痕が発生するおそれがある。さらに、反り上がりの発生によって、複数の絞り羽根２３によって形成される開口２３ｅの中心位置がずれて、光軸Ｘ上の位置がずれてしまった結果、設計された光学性能が発揮できなくなるおそれがある。
【００７５】
そこで、本実施形態の絞りユニット２０では、部品点数を増やすことなく、簡素な構成によって、複数の絞り羽根２３の反り上がり抑制構造を備えている。
具体的には、本実施形態の反り上がり抑制構造は、図１６Ａおよび図１６Ｂに示すように、絞り羽根２３の編み込み時における反り上がりを抑制するために、２つの突出部２２ｃ，２５ｅが、駆動リング２２およびカバー２５における絞り羽根２３と対向する面に配置されている。
【００７６】
突出部２２ｃ，２５ｅは、それぞれ、駆動リング２２およびカバー２５に、絞り羽根２３の一部に当接するように配置されている。そして、突出部２２ｃ，２５ｅは、それぞれ、絞り羽根２３の編み込み時における反り上がりを抑制する方向に、絞り羽根２３を支持する。
【００７７】
突出部２２ｃは、上述したように、駆動リング２２における絞り羽根２３と対向する面に、絞り羽根２３と同数の１１個設けられている。そして、突出部２２ｃは、１１枚の絞り羽根２３のボス２３ｂ（第１主軸）が挿入された全ての穴の周辺に配置されている。突出部２２ｃは、図１６Ａに示すように、被写体側から、絞り羽根２３の根元付近（ボス２３ｂ付近）を支持する。
【００７８】
突出部２５ｅは、上述したように、カバー２５における絞り羽根２３と対向する面に、円環状に設けられている。そして、突出部２５ｅは、図１６Ａに示すように、被写体側とは反対側から、絞り羽根２３の中央寄りの部分を支持する。
【００７９】
これにより、複数の絞り羽根２３を絞った状態（開口径を小さくした状態）において、絞り羽根２３は、それぞれの突出部２２ｃ，２５ｅに当接し、絞り羽根２３の変形を規制することができる。
【００８０】
よって、本実施形態の絞りユニット２０の構成（実線）によれば、図１６Ｂ中の破線に示す突出部２２ｃ，２５ｅが設けられていない構成における絞り羽根の位置と比較して、光の入射方向における下流側への絞り羽根２３の反り上がり量を効果的に抑制することができる。
【００８１】
この結果、光の入射方向における絞りユニット２０の下流側に配置されたレンズＬ５等に対して、絞り羽根２３の先端部２３ｄが接触してしまうことに起因する不具合の発生を防止することができる。
【００８２】
さらに、本実施形態の絞りユニット２０では、図１７Ａに示すように、固定開口シート２７によって規定される絞りユニット２０の固定開口径と、絞り羽根２３との間に、スペーサ部２５ｆ（カバー２５の一部）（図２０参照）が設けられている。すなわち、絞りユニット２０の固定開口径を規定する固定開口シート２７は、絞り羽根２３との間に、カバー２５の一部、スペーサ部２５ｆが挟み込まれるように配置されている。
【００８３】
ここで、絞り羽根２３の反り上がり量は、図１７Ａに示すように、絞り羽根２３を絞る方向に回動させるほど、光の入射方向における下流側、すなわち編み込み側への反り上がり量が大きくなる。
【００８４】
よって、絞り羽根２３の反り上がり部分は、図１７Ｂに示すほぼ開いた状態から、絞り羽根２３を絞る方向に回動させるほど、図１７Ａに示すように、カバー２５の突出部２５ｅ（第２支持部）の径方向内側への延長線Ｙ２上を越えて、さらに固定開口シート２７（固定開口径）の径方向内側への延長線Ｙ１を越えた位置まで移動する。このとき、絞り羽根２３は、突出部２５ｅと接触し、光軸Ｘ方向における位置が規制される。
【００８５】
本実施形態の絞りユニット２０では、以上のように、複数の絞り羽根２３が、図１７Ｂに示すほぼ開いた状態では、固定開口シート２７によって規定される固定開口径の位置よりも、光の入射方向において上流側に配置されている。そして、絞り羽根２３を絞る方向へ回動させていくと、図１７Ａに示すように、複数の絞り羽根２３は、先端部２３ｄが光の入射方向における下流側へ反り上がって、固定開口径の位置（延長線Ｙ１）を越えるように構成されている。
【００８６】
これにより、複数の絞り羽根２３によって形成される開口２３ｅが最大になった状態から最小になった状態（図１７Ａ）にかけて、絞り羽根２３の開口２３ｅは、光の入射方向において、固定開口シート２７によって規定される固定開口径の延長線Ｙ１の位置付近に配置することができる。
【００８７】
複数の絞り羽根２３が開口２３ｅ（第３開口）の大きさを小さくする方向へ可動すると、複数の絞り羽根２３は、反り上がりの方向とは同じ方向において、反り上がり量が増加するに伴って、固定開口シート２７（固定開口部材）によって形成される開口２７ｂを構成する仮想的な平面を越えるように可動される。
【００８８】
複数の絞り羽根２３が開口２３ｅ（第３開口）の全開状態では、固定開口シート２７と複数の絞り羽根２３との間は、空隙が設けられた互いに非接触の状態であって、複数の絞り羽根２３が第３開口２３ｅの大きさを小さくする方向へ可動すると、反り上がり量が増加するに伴って複数の絞り羽根２３は固定開口シート２７に接近していく。
複数の絞り羽根２３が開口２３ｅ（第３開口）の大きさを最大から最小方向へ、すなわち全開から小絞りへ可動すると、絞り羽根２３の先端部２３ｄは、光軸Ｘ方向において、反り上がり量が増加するに伴って、３つの領域を通過する。
【００８９】
第１の領域は、延長線Ｙ２よりも反り上がり方向とは反対側の領域、第２の領域は、延長線Ｙ２と延長線Ｙ１の間の領域、第３の領域は、延長線Ｙ１よりも反り上がり方向側の領域である。カバー２５のスペーサ部２５ｆは、延長線Ｙ２と延長線Ｙ１の間に構成され、第２の領域を形成する。
【００９０】
この第２の領域を設けることで、絞り羽根２３の反り上がり量が大きい場合でも、絞りユニット２０の光軸Ｘ方向内側、すなわち固定開口シート２７より光軸Ｘ方向内側に反り上がり量の一部を吸収、収納することができるので、絞り羽根２３が絞りユニット２０の光軸Ｘ方向における外側に出っ張ることを抑制できる。
【００９１】
この第２の領域は、反り上がり量を抑制するには光軸Ｘ方向に対して厚いことが望ましいが、厚過ぎると絞りユニット２０の大きさが大きくなってしまう。よって、第２の領域は、絞り羽根２３が格納されている羽根室の光軸Ｘ方向サイズと略同等、または略同等から略２倍の間、または略同等から略３倍の間が望ましい。さらに、絞りユニットサイズを優先する場合には、第２の領域は、絞り羽根２３が格納されている羽根室の光軸Ｘ方向サイズの略半分、または略半分から略同等の間、または略半分から略２倍の間でもよい。
よって、固定開口径の位置と、絞り羽根２３の絞り開口の位置とが、光の入射方向において離れた位置に配置されることを防止することができる。
【００９２】
＜異物浸入防止構造＞
本実施形態の絞りユニット２０は、地板２１とカバー２５との間の隙間に、グリスや異物等が浸入することを防止するために、異物浸入防止構造を備えている。この異物浸入防止構造について、図１８〜図２０を用いて説明すれば以下の通りである。
【００９３】
すなわち、異物浸入防止構造は、図１８に示すカバー２５の外周側に配置された壁部（第２壁部）２５ｄと、図１９に示す地板２１の外周側に配置された壁部（第１壁部）２１ｃと、によって構成される。
【００９４】
壁部２１ｃは、図１９に示すように、地板２１の円環状の本体部２１ａの外周部分の一部を覆うように配置されている。
壁部２５ｄは、図１０および図１８に示すように、本体部２５ａの外周に沿って、その一部に立設された壁状の部材であって、地板２１側の壁部２１ｃと重なる位置に配置される。
【００９５】
本実施形態の絞りユニット２０では、地板２１とカバー２５との間の隙間において可動する絞り羽根２３に対してグリスや異物等が接触することを回避するために、グリスの浸入が懸念される外周側の部分に、異物浸入防止構造が配置されている。
【００９６】
ここで、絞りユニット２０は、複数の絞り羽根２３を収納し、光軸Ｘ方向において保持するために、カバー２５と地板２１とによって、絞り羽根２３を挟み込む構成を採用している。
【００９７】
このような構成では、地板２１とカバー２５との間に隙間が形成されるため、例えば、絞りユニット２０付近にグリスや異物等が付着した部品等が配置されている場合には、グリス等が絞りユニット２０に付着して、隙間から絞りユニット２０の内部へ浸入するおそれがある。例えば、隙間から浸入したグリスが絞り羽根２３に付着すると、絞り羽根２３の駆動負荷が上がり、回動動作がスムーズに行えなくなるおそれがある。
【００９８】
本実施形態の絞りユニット２０では、グリス等が付着しやすい部分に、壁部２１ｃと壁部２５ｄとが設けられている。より具体的には、カバー２５に壁部２５ｄが、地板２１に壁部２１ｃが、それぞれ設けられている。
【００９９】
そして、壁部２１ｃと壁部２５ｄとは、それぞれ光の入射方向における上流側と下流側とから立設された互い違いに重なる構造となっている。
これにより、絞りユニット２０の外周側から見える隙間をなくし、かつ壁部２１ｃ，２５ｄが互い違いに配置されているため、グリス等の異物が絞り羽根２３に付着することを効果的に防止することができる。
【０１００】
また、壁部２５ｄと壁部２１ｃとによって構成される互い違いの構造の部分に、オイルバリア等の撥油成分を塗布することで、グリス等の異物浸入防止効果をさらに向上させることができる。
【０１０１】
（実施形態２）
本開示の実施形態２に係る絞りユニット（遮光ユニット）１２０について、図２１Ａ〜図２５を用いて説明すれば以下の通りである。
【０１０２】
本実施形態の絞りユニット１２０は、上記実施形態１において説明した絞り羽根２３に加えて、別の形状を有する絞り羽根（可動羽根、第２羽根）１２３を備えている点において、上記実施形態１の構成とは異なっている。
【０１０３】
なお、上記実施形態１と同様の機能・形状を有する構成については、同じ符号を付し、その説明を省略する。
すなわち、本実施形態の絞りユニット１２０では、図２１Ａに示す６枚の絞り羽根（可動羽根、第１羽根）２３と、図２１Ｂに示す５枚の絞り羽根１２３とを組み合わせて、絞りの開口（第３開口）１２３ｅを形成する。
【０１０４】
絞り羽根２３は、図２１Ａに示すように、本体部２３ａ、ボス２３ｂ（第１主軸）、ボス２３ｃ（第１副軸）、および先端部２３ｄを有している。これらの各構成については、上記実施形態１と同様であるため、ここでは説明を省略する。
【０１０５】
絞り羽根１２３は、図２１Ｂに示すように、絞り羽根２３よりも全長が大きく、本体部１２３ａ、ボス１２３ｂ（第２主軸）、ボス１２３ｃ（第２副軸）、および回動部１２３ｄを有している。
【０１０６】
本体部１２３ａは、図２１Ｂに示すように、板状部材であって、例えば、ＬＣＰ（Liquid Crystal Polymer）、ＰＰＳ（ポリフェニレンサルファイド）、ＰＡ（ポリアミド）等の高剛性樹脂によって成形されている。
【０１０７】
これにより、絞り羽根１２３が、比較的剛性の高い材料を用いて成形されているため、交互に配置された絞り羽根２３の反り上がり量を抑制することができる。
ボス１２３ｂ（第２主軸）は、複数の絞り羽根１２３が回動する際の回動軸として、本体部１２３ａの一端（第１端部）側の上面（駆動リング２２と対向する面）から突出するように設けられている。そして、ボス１２３ｂ（第２主軸）は、上述した駆動リング２２の突出部２２ｃの中心部分に形成された貫通穴に挿入されている。このため、ボス１２３ｂ（第２主軸）は、後述する絞り羽根１２３の開閉動作において、駆動リング２２が回転駆動されると、それに伴って周方向において移動する。
【０１０８】
ボス１２３ｃ（第２副軸）は、本体部１２３ａにおけるボス１２３ｂ（第２主軸）とは反対側の面（カバー２５と対向する面）から突出するように設けられている。そして、ボス１２３ｃ（第２副軸）は、後述するカバー２５に形成されたカム溝２５ｃ（図１０参照）内に挿入されている。このため、ボス１２３ｃ（第２副軸）は、後述する絞り羽根１２３の開閉動作において、駆動リング２２が回転駆動されて絞り羽根１２３が周方向において移動すると、それに伴って、カム溝２５ｃに案内されながら移動する。これにより、駆動リング２２の回転量に応じて絞り羽根１２３の回動量を変化させることで、複数の絞り羽根１２３によって形成される開口１２３ｅの面積または開口径を変化させて、絞りユニット１２０の開口部分を通過する光の量を調整することができる。駆動リング２２が回転駆動されると、ボス１２３ｂ（第２主軸）とボス１２３ｃ（第２副軸）の地板２１またはカバー２５に対する相対位置が変化し、絞り羽根１２３がボス１２３ｂ（第２主軸）を中心に回動し、絞りユニット２０の開口の大きさが変化する。
【０１０９】
回動部１２３ｄは、本体部１２３ａにおける他端（第２端）側に設けられており、絞り羽根１２３がボス１２３ｂ（第２主軸）を中心にして回動することで、地板２１とカバー２５との間の隙間内を移動する。
【０１１０】
そして、本実施形態の絞りユニット１２０では、これらの形状の異なる絞り羽根２３，１２３が、周方向において交互に配置されている。
ここで、絞り羽根２３は、開口１２３ｅの開口径を最も小さくした状態（閉状態）まで回動すると、図２２Ａおよび図２２Ｂに示すように、先端部２３ｄが、地板２１とカバー２５との間から光軸Ｘ付近まで回動していく。
【０１１１】
このとき、絞り羽根２３は、図２４Ａに示すように、駆動リング２２に設けられた突出部２２ｃの中心に形成された貫通穴に挿入されたボス２３ｂ（第１主軸）を回動軸として、ボス２３ｃ（第１副軸）がカバー２５に設けられたカム溝２５ｃ内を移動することで、開閉駆動される。
【０１１２】
一方、絞り羽根１２３は、開口１２３ｅの開口径を最も小さくした状態（閉状態）まで回動すると、図２３Ａおよび図２３Ｂに示すように、回動部１２３ｄは、地板２１とカバー２５との間の隙間から出てくることなく、地板２１とカバー２５との間の隙間内を回動していく。このため、絞り羽根１２３は、開口１２３ｅの開口径を小さくするために回動したいずれの状態においても、その両端が地板２１とカバー２５との間の隙間内から出ることはない。つまり、絞り羽根１２３は、その両端が地板２１とカバー２５との間に応じて常に保持された状態となるため、光の入射方向における位置が安定する。
【０１１３】
よって、絞り羽根１２３は、絞り羽根２３とは異なり、開口１２３ｅの開口径を小さく絞った状態でも、単独では、光の入射方向における下流側へ反り上がることはない。
このとき、絞り羽根１２３は、絞り羽根２３と同様に、図２４Ｂに示すように、駆動リング２２に設けられた突出部２２ｃの中心に形成された貫通穴に挿入されたボス１２３ｂ（第２主軸）を回動軸として、ボス１２３ｃ（第２副軸）がカバー２５に設けられたカム溝２５ｃ内を移動することで、開閉駆動される。
【０１１４】
本実施形態の絞りユニット１２０では、以上のように、図２１Ａに示す絞り羽根２３と、図２１Ｂに示す絞り羽根１２３とが、周方向において交互に配置されるように組み合わせて構成されている。
【０１１５】
これにより、図２５に示すように、絞りユニット１２０の開口１２３ｅの開口径が最小になるように６枚の絞り羽根２３と５枚の絞り羽根１２３とを回動させた場合でも、光の入射方向における下流側への反り上がり量を抑制することができる。
【０１１６】
さらに、本実施形態のように、絞り羽根２３と絞り羽根１２３とが組み合わせて用いられていることで、例えば、絞り羽根１２３だけを用いて開口１２３ｅを形成する構成と比較して、絞り羽根１２３の回動部１２３ｄを、地板２１とカバー２５との間の隙間内を移動させるために必要な駆動モータ２８に掛かる駆動負荷を低減することができる。
【０１１７】
本実施形態の絞りユニット１２０の構成によれば、以上のように、絞り羽根２３と絞り羽根１２３とが組み合わせて構成されていることで、光の入射方向における下流側への絞り羽根２３の反り上がり量を抑制するとともに、駆動モータ２８に係る負荷を低減することができる。
【０１１８】
なお、本実施形態の絞りユニット１２０では、上記実施形態１と同様に、地板２１とカバー２５とにそれぞれ設けられた２つの突出部２２ｃ，２５ｅによって、絞り羽根２３，１２３の一部に当接することで、絞り羽根２３，１２３の反り上がり量を抑制することができる。
【０１１９】
ただし、本実施形態のように、異なる形状の絞り羽根２３，１２３を組み合わせて用いることで、絞り羽根１２３が絞り羽根２３の反り上がりを抑制する機能を有することから、本実施形態の絞りユニット１２０は、上記実施形態１で説明した２つの突出部２２ｃ，２５ｅが含まれない構成であってもよい。
【０１２０】
［他の実施形態］
以上、本開示の一実施形態について説明したが、本開示は上記実施形態に限定されるものではなく、開示の要旨を逸脱しない範囲で種々の変更が可能である。
【０１２１】
（Ａ）
上記実施形態１，２では、平板状の絞り羽根２３，１２３を複数枚組み合わせて、開口２３ｅ，１２３ｅの面積または開口径を調整する例を挙げて説明した。しかし、本開示はこれに限定されるものではない。
【０１２２】
例えば、図２６に示すように、本体部２２３ａの根元（ボス２２３ｂ）寄りの位置に形成された屈曲部２２３ｆを起点にしてボス２２３ｂが設けられた面（駆動リング２２と対向する面）側（図中上側）に曲げられた形状を有する絞り羽根２２３を用いて絞りユニット（遮光ユニット）２２０を構成してもよい。
【０１２３】
すなわち、この構成では、図２６に示すように、絞り羽根２２３が、予め羽根編み込みによる反り上がり方向とは逆方向に曲げられた形状を有している。このため、複数の絞り羽根２２３を閉じた状態、すなわち、開口２２３ｅの開口径または面積を小さくした状態に移行した場合でも、図２７において破線で示すように、上記実施形態１の絞り羽根２３を用いた場合（実線）と比較して、反り上がり量をさらに効果的に抑制することができる。
【０１２４】
なお、個々の絞り羽根を曲げる方向としては、図２６に示す方向に限定されるものではなく、絞り羽根の先端が編み込まれる側が反対側（被写体側）に配置される構成では、図２６とは反対向き、すなわち被写体側に曲げていればよい。
【０１２５】
なお、本実施形態の絞りユニット２２０では、上記実施形態１と同様に、地板２１とカバー２５とにそれぞれ設けられた２つの突出部２２ｃ（第１支持部），２５ｅ（第２支持部）によって、絞り羽根２２３の一部に当接することで、絞り羽根２２３の反り上がり量を抑制することができる。
【０１２６】
ただし、本実施形態のように、予め曲げ形状を有する絞り羽根２２３を用いることで、絞り羽根２２３自身が反り上がり抑制効果を持つことができるため、本実施形態の絞りユニット２２０は、上記実施形態１で説明した２つの突出部２２ｃ，２５ｅが含まれない構成であってもよい。
【０１２７】
（Ｂ）
上記実施形態１，２では、複数の絞り羽根２３，１２３を絞った状態（開口径または面積を小さくした状態）において、絞り羽根２３，１２３が光の入射方向における下流側（像面側）に反り上がるように構成された絞りユニット（遮光ユニット）を例として挙げて説明した。しかし、本開示はこれに限定されるものではない。
例えば、複数の絞り羽根を絞った状態において、光の入射方向における上流側（被写体側）へ反り上がるように構成された絞りユニットであってもよい。絞り羽根の先端が、編み込まれる側が被写体側であってもよい。
【０１２８】
（Ｃ）
上記実施形態１，２では、絞り羽根２３，１２３の一部に当接し、絞りユニット２０，１２０の開口部分の閉状態における複数の絞り羽根２３，１２３の反り上がりを抑制するために、突出部２２ｃ（第１支持部），２５ｅ（第２支持部）が設けられた構成を例として挙げて説明した。しかし、本開示はこれに限定されるものではない。
例えば、絞りユニットの開口部分の閉状態における複数の絞り羽根の反り上がりを抑制するための支持部は、突出した形状ではなく、平面状の部材であってもよい。つまり、支持部の形状としては、突出した形状である必要はなく、反り上がりを抑制する方向に支持する部材であればよい。
【０１２９】
（Ｄ）
上記実施形態１，２では、絞りユニット２０，１２０の開口部分の閉状態における複数の絞り羽根２３，１２３の反り上がりを抑制するための支持部として、駆動リング２２とカバー２５とにそれぞれ突出部２２ｃ（第１支持部），２５ｅ（第２支持部）を設けた例を挙げて説明した。しかし、本開示はこれに限定されるものではない。
例えば、絞りユニットの開口部分の閉状態における複数の絞り羽根の反り上がりを抑制するための支持部として、突出部２２ｃ（第１支持部），２５ｅ（第２支持部）のいずれか一方が設けられた構成であってもよい。
【０１３０】
（Ｅ）
上記実施形態１，２では、略円環状の駆動リング２２において周方向に沿って設けられた複数の円環状の突出部２２ｃが、支持部（第１支持部）として用いられた例を挙げて説明した。しかし、本開示はこれに限定されるものではない。
例えば、支持部（第１支持部）の形状としては、円環状の突出部に限らず、円柱状、多角形状等、他の形状であってもよい。
【０１３１】
（Ｆ）
上記実施形態１，２では、略円環状の駆動リング２２において周方向に沿って設けられた複数の円環状の突出部２２ｃが、支持部（第１支持部）として用いられた例を挙げて説明した。しかし、本開示はこれに限定されるものではない。
例えば、駆動リング２２（駆動リング）の貫通穴が、貫通ではなく絞り羽根２３側を向いた面、すなわち回動軸（第１主軸）先端と向かい合う面を構成する底部（第１支持部）を有し、底部（第１支持部）が回動軸（第１主軸）の先端と当接することで支持する構成としてもよい。
この場合、底部（第１支持部）は、駆動リング２２（駆動リング）の表面から凹形状に構成される。そして、回動軸（第１主軸）の先端、または底部（第１支持部）の形状は、平面、球面、円錐面、その他回転対称面、多角錐面等であればよい。
【０１３２】
（Ｇ）
上記実施形態１，２では、略円環状のカバー２５における内径側に設けられた単一の円環状の突出部２５ｅが支持部（第２支持部）として用いられる例を挙げて説明した。しかし、本開示はこれに限定されるものではない。
例えば、絞り羽根の回動経路に沿って形成された複数の円弧状あるいは直線状の突出部が、支持部（第２支持部）として用いられてもよい。
【０１３３】
（Ｈ）
上記実施形態１，２では、羽根駆動機構の一例として、絞り羽根２３，１２３側に回動軸として機能するボス２３ｂ（第１主軸），１２３ｂ（第２主軸）が設けられており、駆動リング２２側にボス２３ｂ（第１主軸），１２３ｂ（第２主軸）が挿入される貫通穴が設けられている例を挙げて説明した。しかし、本開示はこれに限定されるものではない。
【０１３４】
例えば、回動軸が駆動リング側に、回動軸が挿入される２３穴（第１主穴）、１２３穴（第２主穴）が絞り羽根２３，１２３側に設けられた構成であってもよい。
この場合、突出部（第１支持部）は、絞り羽根の反り上がりの方向とは反対面に接する本体部の面、被写体側とは反対側（カバー２５側）、すなわち像面側の面から円環状に突出するように、周方向において略等角度間隔で配置されている。そして、突出部は、円環状の部分において、絞り羽根の一部に当接し、絞り羽根を被写体側から支持する。
【０１３５】
また、突出部（第１支持部）の円環状に突出した部分の略中心には、回動軸が形成されており、絞り羽根の穴（第１主穴）に挿入される。突出部（第１支持部）は、駆動リングの表面から凸形状に構成され、回動軸近傍を支持する。
【０１３６】
したがって、羽根駆動機構は、絞り羽根２３，１２３側のボス２３ｂ（第１主軸），１２３ｂ（第２主軸）と、駆動リング２２側のボス２３ｂ（第１主軸），１２３ｂ（第２主軸）が挿入される貫通穴と、に限定されない。可動羽根と駆動リングが係合し、駆動リングの回転駆動に伴って、可動羽根へと駆動力が伝達される駆動機構であればよい。
【０１３７】
（Ｉ）
上記実施形態１，２では、カム機構の一例として、絞り羽根２３側にカム溝２５ｃに沿って移動するボス２３ｃ（第１副軸），１２３ｃ（第２副軸）が設けられ、カバー２５側にボス２３ｃ（第１副軸），１２３ｃ（第２副軸）が挿入されるカム溝２５ｃが設けられた例を挙げて説明した。しかし、本開示はこれに限定されるものではない。
【０１３８】
例えば、２３カム溝（第１副穴），１２３カム溝（第２副穴）が絞り羽根２３，１２３側に、カム溝に沿って移動するボスがカバー側に設けられた構成であってもよい。
絞り羽根の開閉動作において、駆動リングが回転駆動されて絞り羽根が周方向において移動すると、それに伴って、絞り羽根側のカム溝（第１副穴、第２副穴）がカバー側のボスに案内されながら移動する。
【０１３９】
これにより、駆動リングの回転量に応じて絞り羽根の回動量を変化させることで、複数の絞り羽根によって形成される開口２３ｅの面積または径を変化させて、絞りユニット２０の開口部分を通過する光の量を調整することができる。
【０１４０】
駆動リングが回転駆動されると、ボス２３ｂ（第１主軸），１２３ｂ（第２主軸）と２３カム溝（第１副穴），１２３カム溝（第２副穴）の地板２１またはカバー２５に対する相対位置が変化し、絞り羽根がボス２３ｂ（第１主軸）を中心に回動し、絞りユニット２０の開口の大きさが変化する。
【０１４１】
（Ｊ）
上記実施形態１，２では、カム機構の一例として、駆動リング２２側に絞り羽根２３，１２３のボス２３ｂ（第１主軸），１２３ｂ（第２主軸）が挿入される貫通穴、カバー２５側に絞り羽根２３，１２３のボス２３ｃ（第１副軸），ボス１２３ｃ（第２副軸）が挿入されるカム溝２５ｃが設けられている例を挙げて説明した。しかし、本開示はこれに限定されるものではない。
【０１４２】
例えば、カム溝が駆動リング側に、貫通穴がカバー側に設けられた構成であってもよい。
絞り羽根の開閉動作において、駆動リングが回転駆動されて絞り羽根が周方向において移動すると、それに伴って、絞り羽根が駆動リングの貫通穴に挿入された主ボス（第１主軸及び第２主軸）を中心に回動し、絞り羽根の副ボス（第１副軸および第２副軸）が駆動リング側のカム溝に案内されながら移動する。これにより、駆動リングの回転量に応じて絞り羽根の回動量を変化させることで、複数の絞り羽根によって形成される開口２３ｅの面積または径を変化させて、絞りユニット２０の開口部分を通過する光の量を調整することができる。
【０１４３】
駆動リングが回転駆動されると、主ボス（第１主軸および第２主軸）と副ボス（第１副軸および第２副軸）の地板２１またはカバー２５に対する相対位置が変化し、絞り羽根が主ボス２３ｂ（第１主軸および第２主軸）を中心に回動し、絞りユニット２０の開口の大きさが変化する。
【０１４４】
この場合、支持部（第１支持部）である突出部は、カバーにおいて周方向に沿って形成され、複数個円環状に突出しており、貫通穴は、円環状突出部の略中心に配置される。支持部（第１支持部）である突出部は、絞り羽根の反り上がりの方向とは反対側の面に接するようカバーから突出している。
【０１４５】
支持部（第２支持部）である突出部は、地板（第１枠体）、または駆動リングに形成され、絞りユニットの開口、または地板（第１枠体）の開口、または駆動リングの開口の近傍に位置する。支持部（第２支持部）である突出部は、絞りユニットの開口の近傍に配置された部品に構成される。さらに、支持部（第２支持部）は、支持部（第１支持部）よりも絞りユニットの開口の中心軸側に位置し、絞り羽根の反り上がりの方向と同じ側の面に接するように設けられる。さらに、支持部（第２支持部）は、絞りユニットの開口の中心軸に対して円環状に設けられる。さらに、支持部（第２支持部）は、絞りユニットの開口の中心軸を含む断面視において、略円弧、または略楕円、または略放物線、または略多次曲線、またはなだらかな曲線形状である。
【０１４６】
（Ｋ）
上記実施形態１，２、（Ｉ）、（Ｊ）、で、カム機構 について説明した。しかし、カム機構は、これに限定されるものではない。
例えば、固定枠（地板２１またはカバー２５）または駆動リングのいずれか１つと、可動羽根とが係合して、駆動リングの回転駆動に伴って、可動羽根が移動するカム機構であればよい。
【０１４７】
（Ｌ）
上記実施形態１では、可動式の絞り羽根２３を１１枚含む絞りユニット２０を例として挙げて説明した。しかし、本開示はこれに限定されるものではない。
例えば、絞りユニットに含まれる可動羽根の枚数としては、１１枚に限らず、１０枚以下あるいは１２枚以上であってもよい。
【０１４８】
（Ｍ）
上記実施形態２では、６枚の絞り羽根２３と５枚の絞り羽根１２３とを含む絞りユニット１２０を例として挙げて説明した。しかし、本開示はこれに限定されるものではない。
例えば、絞りユニットに含まれる異なる形状の絞り羽根は、上記枚数に限定されるものではなく、５枚と６枚の組合せであってもよいし、５枚と５枚、６枚と６枚等のように同数であってもよい。
また、異なる形状の絞り羽根は、２種類に限らず、３種類以上を組み合わせて構成されていてもよい。
【０１４９】
（Ｎ）
上記実施形態では、交換レンズ式のレンズ鏡筒１０に搭載された絞りユニット２０（遮光ユニット）に対して本開示の内容を適用した例を挙げて説明した。しかし、本開示はこれに限定されるものではない。
例えば、本遮光ユニットは、交換式のレンズ鏡筒に限らず、カメラ本体と一体化されたレンズ鏡筒にも適用可能である。
【０１５０】
（Ｏ）
上記実施形態では、絞りユニット２０は、フォーカスレンズとして機能する第４レンズＬ４の光の入射方向における下流側に配置されているレンズ鏡筒１０に搭載された絞りユニット（遮光ユニット）２０に対して本開示の内容を適用した例を挙げて説明した。しかし、本開示はこれに限定されるものではない。
【０１５１】
絞りユニット２０は、フォーカスレンズとして機能する第４レンズＬ４の光の入射方向における上流側に配置されていてもよい。
その場合、絞り羽根の反り上がり方向にフォーカスレンズが配置され、フォーカス時の絞り羽根とフォーカスレンズの干渉が懸念されるが、本開示の内容を適用すれば絞り羽根の反り上がり量が抑制されるので、干渉のリスクを低減することができる。
【産業上の利用可能性】
【０１５２】
本開示の遮光ユニットは、可動羽根をスムーズに動作させつつ、可動羽根の反り上がりを抑制することができるという効果を奏することから、光学機器等の各種装置に対して広く適用可能である。
【符号の説明】
【０１５３】
１０      レンズ鏡筒
１１      外枠
１２      内枠
１３      アクチュエータ
１４      ガイドポール
１５      第４レンズ枠
１６      マウント
２０      絞りユニット（遮光ユニット）
２１      地板（第１枠体）
２１ａ    本体部
２１ｂ    開口（第１開口）
２１ｃ    壁部（第１壁部）
２１ｄ    径方向規制部
２１ｅ    第１光軸方向規制部
２１ｆ    第２光軸方向規制部
２２      駆動リング
２２ａ    本体部
２２ｂ    開口
２２ｃ    突出部（支持部、第１支持部）
２２ｄ    ギア部
２２ｅ    遮光部
２２ｆ    径方向規制部
２２ｇ    第１光軸方向規制部
２２ｈ    第２光軸方向規制部
２３      絞り羽根（可動羽根、第１羽根）
２３ａ    本体部
２３ｂ    ボス（第１主軸）
２３ｃ    ボス（第１副軸）
２３ｄ    先端部（自由端）
２３ｅ    開口（第３開口）
２４      シート部材
２４ａ    本体部
２４ｂ    開口
２４ｃ    貫通溝
２５      カバー（第２枠体）
２５ａ    本体部
２５ｂ    開口（第２開口）
２５ｃ    カム溝
２５ｄ    壁部（第２壁部）
２５ｅ    突出部（支持部、第２支持部）
２５ｆ    スペーサ部
２６      取付ネジ
２７      固定開口シート（固定開口部材）
２７ａ    本体部
２７ｂ    開口
２８      駆動モータ
２８ａ    ギア
２８ｂ    取付ネジ
２９ａ    フォトインタラプタ
２９ｂ    ＦＰＣ
１２０    絞りユニット（遮光ユニット）
１２３    絞り羽根（可動羽根、第２羽根）
１２３ａ  本体部
１２３ｂ  ボス（第２主軸）
１２３ｃ  ボス（第２副軸）
１２３ｄ  回動部
１２３ｅ  開口（第３開口）
２２０    絞りユニット（遮光ユニット）
２２３    絞り羽根（可動羽根）
２２３ａ  本体部
２２３ｂ  ボス（回転軸）
２２３ｃ  ボス
２２３ｄ  先端部
２２３ｅ  開口
２２３ｆ  屈曲部
Ｌ１      第１レンズ
Ｌ２      第２レンズ
Ｌ３      第３レンズ
Ｌ４      第４レンズ（フォーカスレンズ）
Ｌ５      第５レンズ
Ｘ      光軸
Ｙ１      固定開口シート（固定開口径）の径方向内側への延長線
Ｙ２      突出部（第２支持部）の径方向内側への延長線
【図１】
2020140059.tif 000003
【図２】
2020140059.tif 000004
【図３】
2020140059.tif 000005
【図４Ａ】
2020140059.tif 000006
【図４Ｂ】
2020140059.tif 000007
【図５Ａ】
2020140059.tif 000008
【図５Ｂ】
2020140059.tif 000009
【図６Ａ】
2020140059.tif 000010
【図６Ｂ】
2020140059.tif 000011
【図７】
2020140059.tif 000012
【図８】
2020140059.tif 000013
【図９】
2020140059.tif 000014
【図１０】
2020140059.tif 000015
【図１１】
2020140059.tif 000016
【図１２】
2020140059.tif 000017
【図１３】
2020140059.tif 000018
【図１４】
2020140059.tif 000019
【図１５Ａ】
2020140059.tif 000020
【図１５Ｂ】
2020140059.tif 000021
【図１６Ａ】
2020140059.tif 000022
【図１６Ｂ】
2020140059.tif 000023
【図１７Ａ】
2020140059.tif 000024
【図１７Ｂ】
2020140059.tif 000025
【図１８】
2020140059.tif 000026
【図１９】
2020140059.tif 000027
【図２０】
2020140059.tif 000028
【図２１Ａ】
2020140059.tif 000029
【図２１Ｂ】
2020140059.tif 000030
【図２２Ａ】
2020140059.tif 000031
【図２２Ｂ】
2020140059.tif 000032
【図２３Ａ】
2020140059.tif 000033
【図２３Ｂ】
2020140059.tif 000034
【図２４Ａ】
2020140059.tif 000035
【図２４Ｂ】
2020140059.tif 000036
【図２５】
2020140059.tif 000037
【図２６】
2020140059.tif 000038
【図２７】
2020140059.tif 000039